(57)【要約】【課題】  比較的径の大きな電源ケーブルが環状とされる場合に使用することができるノイズ吸収装置の提供。【解決手段】  ノイズ吸収装置１は、第１のケーブル保持部１０と、第２のケーブル保持部２０と、これらを所定の距離で離間して連結する連結部３０とを備える。第１のケーブル保持部１０は、第１磁性体コア１１Ａ、１１Ｂを備えており、環状とされた電源ケーブル２の環状部入口部２Ａ及び環状部出口部２Ｂが第１磁性体コア１１Ａ、１１Ｂにより画成される第１ケーブル挿入通路に挿入されている。環状とされた電源ケーブル２の環状部入口部２Ａ及び環状部出口部２Ｂに対する直径方向位置２Ｃは、第２のケーブル保持部２０により画成された第２ケーブル挿入通路に挿入されている。【選択図】図２（ａ）
2006237106.tif 000002
【特許請求の範囲】
【請求項１】
第１ケーブル挿入通路が画成され環状のケーブルの少なくとも環状部入口部と環状部出口部とが該第１ケーブル挿入通路内に挿入される第１磁性体コアを有する第１のケーブル保持部と、
該環状のケーブルの一部であって該環状部入口部及び該環状部出口部以外の部分を保持する第２のケーブル保持部と、
該第１のケーブル保持部と該第２のケーブル保持部とを所定の距離で離間して連結する連結部とを備えることを特徴とするノイズ吸収装置。
【請求項２】
該第２のケーブル保持部は、第２ケーブル挿入通路が画成され該環状のケーブルの一部であって該環状部入口部及び該環状部出口部以外の部分は該第２ケーブル挿入通路に挿入される第２磁性体コアを有することを特徴とする請求項１記載のノイズ吸収装置。
【請求項３】
少なくとも該第１磁性体コアは半割状をなし、互いに接触して組合されることにより環状をなし内周面は該第１ケーブル挿入通路を画成し、
それぞれ該第１のケーブル保持部、該第２のケーブル保持部、及び該連結部の外殻をなし２分割可能な一対のカバーを備え、該半割状の第１磁性体コアのそれぞれは、一対のカバーに一つずつ収容され、
該一対のカバーは互いに係止し合う係止部を該連結部の部分にそれぞれ有していることを特徴とする請求項１又は請求項２記載のノイズ吸収装置。
【発明の詳細な説明】
【技術分野】
【０００１】
本発明はノイズ吸収措置に関し、特に比較的大きな径を有する電源ケーブル等の外周に装着されるノイズ吸収装置に関する。
【背景技術】
【０００２】
ノイズ吸収装置としては、互いに接触して組合されることによりケーブル挿入通路が画成される一対の磁性体コアを有する構成のものが従来より知られている。この構成のノイズ吸収装置では、一対の磁性体コアはカバーに収容される。ノイズ吸収効果を高めるためにケーブルは環状とされ、環状のケーブルの環状部入口部と環状部出口部とが、一対の磁性体コアにより画成されたケーブル挿入通路内に挿入される。ケーブル挿入通路内に挿入されていない環状のケーブルの部分は、一対の磁性体外部であって且つカバー内部に収容されている。このようなノイズ吸収装置は、例えば、特開平１０−２６９８５４号公報（特許文献１）に記載されている。
【特許文献１】特開平１０−２６９８５４号公報
【発明の開示】
【発明が解決しようとする課題】
【０００３】
しかし、上述の従来のノイズ吸収装置は、信号ケーブル等の比較的径の小さなケーブルを対象としたものであり、比較的径の大きな電源ケーブル等に対してそのまま用いることはできなかった。径が大きいケーブルの環状の部分を狭いカバー内に収容しようとすると、ケーブルを無理に曲げることになり、ケーブルの損傷が発生する危険性があるからである。このため規格により、環状とされたケーブルの部分の半径を所定の値以上としなければならないことになっている。
【０００４】
そこで、本発明は、比較的径の大きな電源ケーブルが環状とされる場合に使用することができるノイズ吸収装置を提供することを目的とする。
【課題を解決するための手段】
【０００５】
上記目的を達成するために、本発明は、第１ケーブル挿入通路が画成され環状のケーブルの少なくとも環状部入口部と環状部出口部とが該第１ケーブル挿入通路内に挿入される第１磁性体コアを有する第１のケーブル保持部と、該環状のケーブルの一部であって該環状部入口部及び該環状部出口部以外の部分を保持する第２のケーブル保持部と、該第１のケーブル保持部と該第２のケーブル保持部とを所定の距離で離間して連結する連結部とを備えるノイズ吸収装置を提供している。
【０００６】
第１のケーブル保持部と、第２のケーブル保持部と、連結部とを備えているため、第１のケーブル保持部と第２のケーブル保持部とを所定の距離で離間させることができる。このため、電源ケーブル等の比較的径の大きいケーブルを環状とした場合であっても、ケーブルの環状とされた部分の半径を所定の規格を満たすように所定の値以上とすることができ、半径が小さくなることを防止することができる。このことにより、ケーブルを無理に曲げることを防止することができ、ケーブルの損傷が発生することを防止することができる。
【０００７】
ここで、該第２のケーブル保持部は、第２ケーブル挿入通路が画成され該環状のケーブルの一部であって該環状部入口部及び該環状部出口部以外の部分は該第２ケーブル挿入通路に挿入される第２磁性体コアを有することが好ましい。
【０００８】
第２のケーブル保持部は、第２ケーブル挿入通路が画成され環状のケーブルの一部であって環状部入口部及び環状部出口部以外の部分は第２ケーブル挿入通路に挿入される第２磁性体コアを有しているため、第１のケーブル保持部と第２のケーブル保持部との両方においてノイズを吸収することができ、ノイズ吸収効果をより高めることができる。
【０００９】
また、少なくとも該第１磁性体コアは半割状をなし、互いに接触して組合されることにより環状をなし内周面は該第１ケーブル挿入通路を画成し、それぞれ該第１のケーブル保持部、該第２のケーブル保持部、及び該連結部の外殻をなし２分割可能な一対のカバーを備え、該半割状の第１磁性体コアのそれぞれは、一対のカバーに一つずつ収容され、該一対のカバーは互いに係止し合う係止部を該連結部の部分にそれぞれ有していることが好ましい。
【００１０】
一対のカバーは互いに係止し合う係止部を連結部の部分にそれぞれ有しているため、連結部の位置において一対のカバーどうしを互いに接近させ当接させることができる。このため、一対のカバーどうしが離間することにより半割状の第１磁性体コアが互いに離間してしまうことを防止することができる。このことにより、ノイズ吸収を確実に行うことができる。
【発明の効果】
【００１１】
以上により、比較的径の大きな電源ケーブルが環状とされる場合に使用することができるノイズ吸収装置を提供することができる。
【発明を実施するための最良の形態】
【００１２】
本発明の実施の形態によるノイズ吸収装置について図１、図２を参照しながら説明する。本実施の形態に係るノイズ吸収装置は、図１（ａ）〜図１（ｃ）に示されるように、第１のケーブル保持部１０と、第２のケーブル保持部２０と、これら第１のケーブル保持部１０と第２のケーブル保持部２０とを連結する連結部３０とを備える。
【００１３】
第１のケーブル保持部１０は、フェライト等からなる第１磁性体コア１１（図２（ａ）等）を備えており、第１磁性体コア１１は、後述のようにカバー１Ａ、１Ｂ（図１（ｂ））が閉じられているときには、その軸方向に垂直に切った断面が長円形状の略円筒形状をしている。略円筒形状をした第１磁性体コア１１の内周についても、その軸方向に垂直に切った断面が長円形状をしており、図１（ｂ）において矢印Ａで示される当該断面における最も短い直径（以下「短直径」とする）は、ノイズ吸収装置１が装着される電源ケーブル２の直径よりもわずかに大きく、また、図１（ｂ）において矢印Ｂで示される当該断面における最も長い直径（以下「長直径」とする）は、ノイズ吸収が装着される電源ケーブル２（図２（ａ））の直径の２倍よりもわずかに大きい。
【００１４】
この内周により画成される空間は、電源ケーブル２が挿入される第１ケーブル挿入通路１０ａ（図１（ｂ））をなし、後述のように、環状とされた電源ケーブル２の環状部入口部２Ａと環状部出口部２Ｂとが、第１ケーブル挿入通路１０ａ内に配置されるように構成されている。
【００１５】
第１磁性体コアは、図２（ａ）に示されるように、長直径Ｂ（図１（ｂ））を通る面である分割面１１Ｃ、１１Ｄで２分割可能な半割状１１Ａ、１１Ｂをなしており、分割面１１Ｃ、１１Ｄにおいて互いに接触して組合されることにより環状（円筒形状）をなしている。第１のケーブル保持部１０は、半割状の第１磁性体コア１１Ａ、１１Ｂのそれぞれの外形に略一致する形状の半割状の一対の第１のケーブル保持部カバー１２Ａ、１２Ｂを供えており、半割状の第１磁性体コア１１Ａ、１１Ｂのそれぞれは、図２（ａ）に示されるように、当該一対の第１のケーブル保持部カバー１２Ａ、１２Ｂに一つずつ収容されている。第１のケーブル保持部カバー１２Ａ、１２Ｂは樹脂等が成形されて構成されている。
【００１６】
半割状の第１磁性体コア１１Ａ、１１Ｂの軸方向、即ち図２（ａ）の上下方向の一端及び他端には、段部１１Ｅ、１１Ｆがそれぞれ設けられている。段部１１Ｅ、１１Ｆは、第１磁性体コア１１Ａ、１１Ｂの分割面１１Ｃ、１１Ｄよりも後退した位置、即ち、分割面１１Ｃ、１１Ｄよりも図２（ｂ）の下方の位置において、略円筒形状をした第１磁性体コア１１Ａ、１１Ｂの軸方向、即ち図２（ａ）の上下方向へ突出している。
【００１７】
半割状の第１磁性体コア１１Ａ、１１Ｂの軸方向の一端及び他端に対向する一対の第１のケーブル保持部カバー１２Ａ、１２Ｂの位置であって、第１磁性体コア１１Ａ、１１Ｂの分割面１１Ｃ、１１Ｄ近傍の位置には、図２（ａ）に示されるように、コア押さえ爪１２Ｃ、１２Ｄが設けられている。コア押さえ爪１２Ｃ、１２Ｄは、第１のケーブル保持部カバー１２Ａ、１２Ｂの内面から第１磁性体コア１１Ａ、１１Ｂの軸方向へ突出しており、第１磁性体コア１１Ａ、１１Ｂの段部１１Ｅ、１１Ｆに当接可能である。後述のように、第１磁性体コア１１Ａ、１１Ｂの段部１１Ｅ、１１Ｆがコア押さえ爪１２Ｃ、１２Ｄに当接するとにより、半割状の第１磁性体コア１１Ａ、１１Ｂが第１のケーブル保持部カバー１２Ａ、１２Ｂから脱落してしまうことを防止するように構成されている。
【００１８】
一対の第１のケーブル保持部カバー１２Ａ、１２Ｂには、図１（ａ）、図１（ｃ）に示されるように、コア押さえ弾性片１２Ｅ、１２Ｆがそれぞれ設けられている。コア押さえ弾性片１２Ｅ、１２Ｆは、半割状の第１磁性体コア１１Ａ、１１Ｂの分割面１１Ｃ、１１Ｄと略平行をなす第１のケーブル保持部カバー１２Ａ、１２Ｂの上面１０Ａ、下面１０Ｂにそれぞれ一対ずつ設けられており、半割状の第１磁性体コア１１Ａ、１１Ｂをその分割面１１Ｃ、１１Ｄの法線方向であって第１のケーブル保持部カバー１２Ａ、１２Ｂから離間する方向、即ち、図２（ａ）の紙面の裏から表へと向う方向へ付勢する。
【００１９】
このことにより、後述のようにカバー１Ａ、１Ｂが閉じられているときには、第１磁性体コア１１Ａ、１１Ｂの分割面１１Ｃ、１１Ｄどうしが互いに押圧し合い、第１磁性体コア１１Ａ、１１Ｂの分割面１１Ｃ、１１Ｄどうしの接触を確実にすることができ、ノイズ吸収効果を確実にすることができる。
【００２０】
第１磁性体コア１１Ａ、１１Ｂに対して、コア押さえ弾性片１２Ｅ、１２Ｆによる付勢力以外に外部から力が作用していないときには、コア押さえ弾性片１２Ｅ、１２Ｆの付勢力により第１磁性体コア１１Ａ、１１Ｂの段部１１Ｅ、１１Ｆがコア押さえ爪１２Ｃ、１２Ｄに当接する。このとき、図２（ｂ）に示されるように、半割状の第１磁性体コア１１Ａ、１１Ｂの分割面１１Ｃ、１１Ｄは、一対の第１のケーブル保持部カバー１２Ａ、１２Ｂの分割面１２Ｇ、１２Ｈよりも図の上方へわずかに突出している。
【００２１】
第２のケーブル保持部２０は樹脂等が成形されてなり、図１（ｂ）に示されるように略円筒形状をなし、その内径は電源ケーブル２の直径よりもわずかに大きい。この内周により画成される空間は、環状の電源ケーブル２の一部であって環状部入口部２Ａ及び環状部出口部２Ｂに対して直径方向に位置する電源ケーブル２の部分２Ｃが挿入される第２ケーブル挿入通路２０ａをなす。第２のケーブル保持部２０は、その軸心を通る面により分割された一対の半割状２０Ａ、２０Ｂをなしており、その一方２０Ｂの一部であって、軸方向の略中央の位置には、図２（ｂ）に示されるように、電源ケーブル２を一時的に保持しておくためのケーブル保持部材２１が設けられている。
【００２２】
ケーブル保持部材２１は、半割状の第２ケーブル保持部２０Ｂの円弧を更に延長する方向に分割面２０Ｄから突出している。半割状の第２のケーブル保持部の他方２０Ａの内周面であって、後述のようにカバー１Ａ、１Ｂが閉じられて半割状の第２ケーブル保持部２０が組合されて略円筒形状をなすときにケーブル保持部材２１が位置する部分には、図２（ａ）に示されるように凹部２０ｂが形成されており、当該凹部２０ｂにケーブル保持部材２１が係合するように構成されている。
【００２３】
連結部３０は樹脂等が成形されてなり、一対の半割状３０Ａ、３０Ｂをなしている。半割状の連結部３０Ａ、３０Ｂの一端は、それぞれ半割状の第１のケーブル保持部１０Ａ、１０Ｂと一体で接続されており、半割状の連結部１０Ａ、１０Ｂの他端は、それぞれ半割状の第２のケーブル保持部２０Ａ、２０Ｂと一体で接続されている。このことにより、第１のケーブル保持部１０と第２のケーブル保持部２０とは、連結部３０によってを所定の距離、より具体的には２ｃｍ程度で離間して連結する。それぞれ半割となる第１のケーブル保持部カバー１２Ａ、１２Ｂ、第２のケーブル保持部２０Ａ、２０Ｂ、及び連結部３０Ａ、３０Ｂの分割面１２Ｇ、１２Ｈ、２０Ｃ、２０Ｄ、３０Ｃ、３０Ｄは面一となっている。
【００２４】
第１のケーブル保持部１０と第２のケーブル保持部２０とを所定の距離で離間させることができるため、本実施の形態のように電源ケーブル２等の比較的径の大きいケーブルを環状とした場合であっても、所定の規格を満たすように、電源ケーブル２の環状とされた部分の半径を所定の値以上とすることができる。このため、電源ケーブル２を無理に曲げることを防止することができ、電源ケーブル２の損傷が発生することを防止することができる。
【００２５】
第１のケーブル保持部１０、第２のケーブル保持部２０にそれぞれ接続されている連結部３０の一端と他端との間の略中央の位置には、図１（ａ）に示されるように係止部３１が設けられている。係止部３１は、半割状の連結部３０Ａ、３０Ｂのそれぞれに設けられており、図２（ｂ）に示されるように、半割状の連結部３０のそれぞれから突出する係合部３１Ａ、３１Ｂにより構成されている。この係合部３１Ａ、３１Ｂが互いに係合することにより係止し合うことができる。互いに係止し合うことにより、後述のように図１（ｂ）に示されるようにカバー１Ａ、１Ｂを閉じた状態として、半割状の連結部３０Ａ、３０Ｂのそれぞれを互いに接近させ当接させた状態とすることができる。このことにより、半割状の連結部３０Ａ、３０Ｂの部分が、互いに離間してしまうことを防止することができ、第１磁性体コア１１Ａ、１１Ｂの分割面１１Ｃ、１１Ｄを互いに確実に当接させることができ、ノイズ吸収効果を確実にすることができる。
【００２６】
連結部３０Ａと、第２のケーブル保持部２０Ａと、第１のケーブル保持部カバー１２Ａとは、一体で構成された一方のカバー１Ａを構成する。同様に、連結部３０Ｂと、第２のケーブル保持部２０Ｂと、第１のケーブル保持部カバー１２Ｂとは、一体で構成された他方のカバー１Ｂを構成する。半割状の一方のカバー１Ａと他方のカバー１Ｂとは、第１のケーブル保持部カバー１２Ａ、１２Ｂをなす一端の位置においてヒンジ１Ｃによって連結されており、ヒンジ１Ｃを軸として回動することにより、カバー１Ａ、１Ｂを閉じた状態として分割面１２Ｇ、２０Ｃ、３０Ｃと分割面１２Ｈ、２０Ｄ、３０Ｄとが互いに当接し合うことができるように構成されている。
【００２７】
ノイズ吸収装置１を使用する際には、先ず、図２（ａ）に示されるように、電源ケーブル２を環状とし、環状部入口部２Ａと環状部出口部２Ｂとを、第１ケーブル挿入通路１０ａ内に配置させるとともに、環状とされた電源ケーブル２の環状部入口部２Ａ及び環状部出口部２Ｂに対する直径方向位置２Ｃを第２のケーブル保持部２０Ａ、２０Ｂのケーブル保持部材２１にはめ込み保持させる。
【００２８】
次に、ヒンジ１Ｃを回動軸として、半割状のカバーの一方１Ａを他方１Ｂに対して相対的に回動させてゆき、カバー１Ａ、１Ｂの分割面を互いに当接させると共に係止部３１の係合部３１Ａ、３１Ｂを互いに係合させることにより係止して、カバー１Ａ、１Ｂを回動不能とする。このことにより、略円筒形状となった第１磁性体コア１１Ａ、１１Ｂと、第２のケーブル保持部２０Ａ、２０Ｂの内周面により画成される第１ケーブル挿入通路１０ａ内、第２ケーブル挿入通路２０ａ内に、電源ケーブル２が挿入された状態となり、電源ケーブル２を介して供給される電力のノイズ除去が可能となる。
【００２９】
本発明によるノイズ吸収装置は、上述した実施の形態に限定されず、特許請求の範囲に記載した範囲で種々の変形や改良が可能である。例えば、図３（ａ）、図３（ｂ）に示されるように、第２のケーブル保持部４０Ａ、４０Ｂの内周面に半割状の第２磁性体コア４１Ａ、４１Ｂを設けてもよい。第２磁性体コア４０Ａ、４０Ｂは、カバー１Ａ′、１Ｂ′が閉じられることにより第２のケーブル保持部４０Ａ、４０Ｂが閉じられて、互いに組合せられて略円筒形状をなす。第２磁性体コア４０Ａ、４０Ｂの内周面により画成される空間は略円柱形状をなしており、その内径は電源ケーブル２の直径よりもわずかに大きい。第２磁性体コア４１Ａ、４１Ｂの内周面により画成される空間は、第２ケーブル挿入通路をなす。第２磁性体コア４０Ａ、４０Ｂは、直径方向に分割可能な一対の半割状をなしており、その一方４１Ａが、半割状の第２のケーブル保持部の一方４０Ａに収容され、他方４１Ｂが、半割状の第２のケーブル保持部の他方４０Ｂに収容されている。
【００３０】
カバー１Ａ′、１Ｂ′がヒンジ１Ｃを回動軸として回動してゆき、係止部３１の係合部３１Ａ、３１Ｂが互いに係合し合うことにより第２のケーブル保持部４０Ａ、４０Ｂが閉じられ、一対の半割状の第２磁性体コア４１Ａ、４１Ｂの分割面４１Ｃ、４１Ｄどうしが当接しあい、円筒形状をなすように構成されている。
【００３１】
このような構成とすることにより、第１のケーブル保持部１０と第２のケーブル保持部４０との両方においてノイズを吸収することができ、ノイズ吸収効果をより高めることができる。
【００３２】
また、図４に示されるように、第２のケーブル保持部２０の部分であるカバー１Ａ、１Ｂの他端に、半割状のカバー１Ａ、１Ｂを互いに係止する第２の係止部２２、２２を設けてもよい。更に、上述の実施の形態の係止部３１を設けずに、第２の係止部２２、２２のみを設けてもよい。
【００３３】
また、図５に示されるように、貫通孔たる本体固定用穴部２３ａが形成された支持部２３をカバー１Ａの一部に設けてもよい。支持部２３は略長方形状をした板状をなしており、その長辺の部分においてカバー１Ａの一部をなす第２のケーブル保持部２０Ａに一体接続されている。貫通孔たる本体固定用穴部２３ａは、支持部２３の略中央位置に形成されている。本体固定用穴部２３ａに図示せぬフック等を通して、ノイズ吸収装置１′を支持することができるように構成されている。
【００３４】
また、上述の本実施の形態では、図２（ａ）に示されるように、第２のケーブル保持部２０Ｂに保持されている電源ケーブル２の部分２Ｃの軸心は、第１のケーブル保持部１０の第１磁性体コア１１Ｂに保持されている電源ケーブル２の環状部入口部２Ａの軸心と環状部出口部２Ｂの軸心とを含む同一面上に配置されていたが、これに限定されない。例えば、図６に示されるように、第２のケーブル保持部６０に保持されている電源ケーブル２の部分２Ｃの軸心は、第１のケーブル保持部５０に保持されている電源ケーブル２の環状部入口部２Ａの軸心と環状部出口部２Ｂの軸心とを含む面の法線方向位置に配置されていてもよい。
【００３５】
また、第１のケーブル保持部と、第２のケーブル保持部とは別体で構成されてもよい。また、第２のケーブル保持部２０は、本実施の形態では電源ケーブル２を周方向に一周して包む形状をなしていたが、これに限定されず、電源ケーブル２の一部を支持する形状をなしていてもよい。また、第１のケーブル保持部に対して連結部は脱着可能であってもよい。
【００３６】
例えば、図７〜図９に示されるように、第１のケーブル保持部１１０と、第２のケーブル保持部１２０とを別体で構成し、連結部１３０を第２のケーブル保持部１２０と一体で構成する。そして、連結部１３０の一端を第１のケーブル保持部１１０に対して着脱可能とする。連結部１３０の他端は常に第２のケーブル保持部１２０と一体接続される。
【００３７】
より具体的には、図８（ａ）〜図８（ｂ）に示されるように、第１のケーブル保持部１１０は、前述の本実施の形態の第１のケーブル保持部１０の部分により構成される。ヒンジ１１５によって連結されている第１のケーブル保持部１１０の半割状の一対の第１のケーブル保持部カバー１１２Ａ、１１２Ｂの一端に対する他端の位置には、それぞれカバー係止部１１６Ａ、１１６Ｂが設けられている。ヒンジ１１５を回動軸として一対の第１のケーブル保持部カバーの一方１１２Ａを他方１１２Ｂに対して回動させてゆき、第１のケーブル保持部カバー１１２Ａ、１１２Ｂの分割面１１２Ｇ、１１２Ｈどうしが当接し合ったときにカバー係止部１１６Ａ、１１６Ｂどうしが係止し合うことにより、図７（ａ）〜図７（ｃ）に示される第１のケーブル保持部カバー１１２Ａ、１１２Ｂが閉じた状態を維持することができるように構成されている。
【００３８】
第１のケーブル保持部カバー１１２Ａ、１１２Ｂが閉じた状態の第１のケーブル保持部１１０は、図７（ｂ）に示されるように、第１のケーブル保持部カバー１１２Ａ、１１２Ｂが閉じた状態の分割面１１２Ｇ、１１２Ｈに平行な上面１１０Ａとした下面１１０Ｂとを有しており、上面１１０Ａと下面１１０Ｂとは円弧状部によって接続されている。上面１１０Ａ、下面１１０Ｂと接続されている円弧状部の位置には、上面１１０Ａ、下面１１０Ｂの法線方向へ窪んだ４つの凹部１１０ｃ（図７（ａ））、４つの凹部１１０ｄ（図７（ｃ））がそれぞれ形成されており、凹部１１０ｃ、１１０ｄ内にはホルダー係止部１１３、図示せぬホルダー係止部がそれぞれ設けられている。
【００３９】
連結部１３０は、図９（ｂ）に示されるように、略長方形状をした板状部材１３３と、第２のケーブル保持部支持部１３４とを備えている。板状部材１３３の一方の面の四隅には、当該一方の面から突出する掛止用フック部１３３Ａがそれぞれ設けられている。掛止用フック部１３３Ａは、第１のケーブル保持部カバー１１２Ａ、１１２Ｂの凹部１１０ｃ、図示せぬ凹部内に挿入可能であり、凹部１１０ｃ、１１０ｄに挿入されてゆき、凹部１１０ｃ、１１０ｄ内のホルダー係止部１１３、図示せぬホルダー係止部に係合可能である。このように係合することにより、連結部１３０は第１のケーブル保持部１１０に固定される。
【００４０】
略長方形状をした板状部材１３３の一方の長辺には、略長方形状をした支持部材１２３がその長辺を互いに共有する位置関係で一体接続されて設けられている。支持部材１２３の略中央位置には、貫通孔たる本体固定用穴部１２３ａが形成されている。本体固定用穴部１２３ａに図示せぬフック等を通して、ノイズ吸収装置１″を支持することができるように構成されている。
【００４１】
連結部１３０の第２のケーブル保持部支持部１３４は、図９（ｂ）に示されるように、その一端が板状部材１３３の略中央の位置に一体固定されており、板状部材１３３の一方の面から延出している。第２のケーブル保持部支持部１３４の他端には第２のケーブル保持部１２０が一体固定されている。第２のケーブル保持部１２０は、円弧状部材１２１により構成されており、円弧状部材１２１は、円筒状の部材をその軸を通る面で切断したような形状をしている。円弧状部材１２１の周方向における一端１２１Ａを０°位置、他端１２１Ｂを１８０°位置とすると、略９０°位置において第２のケーブル保持部支持部１３４に一体固定されている。
【００４２】
０°位置、１８０°位置からは、更に円弧を延長する方向に延出する円弧状の第２ケーブル保持部材１２１Ｃが設けられている。環状とされた電源ケーブル２の環状部入口部２Ａ及び環状部出口部２Ｂに対する直径方向位置２Ｃ（図７（ｃ））を第２のケーブル保持部１２０の第２ケーブル保持部材１２１Ｃに挿入させることにより、電源ケーブル２の当該直径方向位置２Ｃを第２ケーブル保持部１２０で保持することができるように構成されている。
【００４３】
ノイズ吸収装置１″を使用する際には、先ず、連結部１３０の掛止用フック部１３３Ａを第１のケーブル保持部１１０の凹部１１０ｄに挿入させ、図示せぬホルダー係止部に掛止用フック部１３３Ａを係止させる。このことにより、第１のケーブル保持部１１０に連結部１３０を固定させる。次に、電源ケーブル２を環状とし、環状部入口部２Ａと環状部出口部２Ｂとを、第１ケーブル挿入通路１１０ａ（図８（ａ））内に配置させるとともに、環状とされた電源ケーブル２の環状部入口部２Ａ及び環状部出口部２Ｂに対する直径方向位置を、第２のケーブル保持部１２０の第２ケーブル保持部材２１に挿入する。
【００４４】
次に、ヒンジ１１５を回動軸として、半割状の第１のケーブル保持部カバーの一方１１２Ａを他方１１２Ｂに対して相対的に回動させてゆき、第１のケーブル保持部カバー１１２Ａ、１１２Ｂの分割面１１２Ｇ、１１２Ｈを互いに当接させると共に係止部の係合部１１６Ａ、１１６Ｂを互いに係合させることにより係止して、第１のケーブル保持部カバー１１２Ａ、１１２Ｂを回動不能とする。
【００４５】
このことにより、略円筒形状となった第１磁性体コア１１１Ａ、１１１Ｂと、第２のケーブル保持部１２０の円弧状部１２１の内周面により画成される第１ケーブル挿入通路１１０ａ（図８（ｂ））内、第２ケーブル挿入通路１２０ａ（図９（ｂ））内に、電源ケーブル２が挿入された状態となり、電源ケーブル２を介して供給される電力のノイズ除去が行われる。
【００４６】
また、本実施の形態では、カバー１Ａ、１Ｂを回動可能に支承するヒンジ１Ｃがもうけられていたが、設けられていなくてもよい。この場合には、一対カバーは一方から他方を分離可能となる。また、第１のケーブル保持部と、連結部と、第２のケーブル保持部とを別体とし、第１のケーブル保持部、第２のケーブル保持部をそれぞれ連結部に対して着脱可能としてもよい。
【００４７】
また、本実施の形態では、電源ケーブル２は一回巻回されることによる一重のループとなっていたが、これに限定されず、二重等であってもよい。この場合には、第１ケーブル挿入通路、第２ケーブル挿入通路をそれぞれ所定の本数の電源ケーブルを挿入可能に広くする必要がある。
【産業上の利用可能性】
【００４８】
本発明のノイズ除去装置は、テレビやパソコン、ゲーム機、ＯＡ・ＦＡ機器等の電子機器の電源ケーブルに装着され、これらの電子機器内で発生し、または、外部で発生してケーブル内を伝播するノイズを吸収するノイズ吸収装置の分野等において特に有用である。
【図面の簡単な説明】
【００４９】
【図１（ａ）】本発明の実施の形態によるノイズ吸収装置を示す平面図。
【図１（ｂ）】本発明の実施の形態によるノイズ吸収装置を示す正面図。
【図１（ｃ）】本発明の実施の形態によるノイズ吸収装置を示す底面図。
【図１（ｄ）】本発明の実施の形態によるノイズ吸収装置を示す右側面図。
【図１（ｅ）】本発明の実施の形態によるノイズ吸収装置を示す左側面図。
【図２（ａ）】本発明の実施の形態によるノイズ吸収装置を半割とした状態を示す平面図。
【図２（ｂ）】本発明の実施の形態によるノイズ吸収装置を半割とした状態を示す正面図。
【図３（ａ）】本発明の実施の形態の変形例によるノイズ吸収装置を半割とした状態を示す平面図。
【図３（ｂ）】本発明の実施の形態の変形例によるノイズ吸収装置を半割とした状態を示す正面図。
【図４】本発明の実施の形態の変形例によるノイズ吸収装置に、電源ケーブルが挿入された状態を示す平面図。
【図５】本発明の実施の形態の変形例によるノイズ吸収装置に、電源ケーブルが挿入された状態を示す平面図。
【図６】本発明の実施の形態の変形例によるノイズ吸収装置に、電源ケーブルが挿入された状態を示す正面図。
【図７（ａ）】本発明の実施の形態の変形例によるノイズ吸収装置に、電源ケーブルが挿入された状態を示す平面図。
【図７（ｂ）】本発明の実施の形態の変形例によるノイズ吸収装置に、電源ケーブルが挿入された状態を示す正面図。
【図７（ｃ）】本発明の実施の形態の変形例によるノイズ吸収装置に、電源ケーブルが挿入された状態を示す右側面図。
【図８（ａ）】本発明の実施の形態の変形例によるノイズ吸収装置の第１のケーブル保持部を半割とした状態を示す平面図。
【図８（ｂ）】本発明の実施の形態の変形例によるノイズ吸収装置の第１のケーブル保持部を半割とした状態を示す正面図。
【図９（ａ）】本発明の実施の形態の変形例によるノイズ吸収装置の連結部を示す平面図。
【図９（ｂ）】本発明の実施の形態の変形例によるノイズ吸収装置の連結部及び第２のケーブル保持部を示す正面図。
【符号の説明】
【００５０】
１、１′、１″        ノイズ吸収装置
１Ａ、１Ｂ            カバー
２          電源ケーブル
２Ａ        環状部入口部
２Ｂ        環状部出口部
１０、１１０          第１のケーブル保持部
１０ａ、１１０ａ第１ケーブル挿入通路
１１Ａ、１１Ｂ        第１磁性体コア
２０、１２０          第２のケーブル保持部
２０ａ、１２０ａ      第２ケーブル挿入通路
３０、１３０          連結部
３１  係止部
３２１Ａ、３１Ｂ      係合部材
４１Ａ、４１Ｂ        第２磁性体コア
【図１（ａ）】
2006237106.tif 000003
【図１（ｂ）】
2006237106.tif 000004
【図１（ｃ）】
2006237106.tif 000005
【図１（ｄ）】
2006237106.tif 000006
【図１（ｅ）】
2006237106.tif 000007
【図２（ａ）】
2006237106.tif 000008
【図２（ｂ）】
2006237106.tif 000009
【図３（ａ）】
2006237106.tif 000010
【図３（ｂ）】
2006237106.tif 000011
【図４】
2006237106.tif 000012
【図５】
2006237106.tif 000013
【図６】
2006237106.tif 000014
【図７（ａ）】
2006237106.tif 000015
【図７（ｂ）】
2006237106.tif 000016
【図７（ｃ）】
2006237106.tif 000017
【図８（ａ）】
2006237106.tif 000018
【図８（ｂ）】
2006237106.tif 000019
【図９（ａ）】
2006237106.tif 000020
【図９（ｂ）】
2006237106.tif 000021